(57)【要約】【課題】舌の舌根が気道に垂れる事で閉塞型睡眠時無呼吸症候群になるのを防止することである。【解決手段】枕の頭を受ける部分である「頭受け部」２の中層、或は下側に、枕の「略中央部」から長側面後１６にかけて、頭の負荷を受ける、「負荷受け部」３を備えて、頭の負荷で「負荷受け部」３で生じた反力で舌根２５を気道１３から引き上げて、閉塞型睡眠時無呼吸症候群を解消する枕とした。【選択図】図１
2019076681.tif 000002
【特許請求の範囲】
【請求項１】
枕１は、枕形状の「低反発軟質発泡樹脂」からなる群から選択した一つからなる、頭を受ける「頭受け部」２からなり、前記「頭受け部」２より相対的に硬質な、「高反発硬質発泡樹脂」からなる群から選択した一つ、或は「高反発硬質樹脂」からなる群から選択した一つ、或は軽金属、木、からなる群から選択した一つからなる、頭の付加を受ける板状の「負荷受け部」３を、前記「頭受け部」２の中層、或は下側の、前記「頭受け部」２の前後の略中間である「略中央部」から長側面後１６にかけて備えた事を、特徴とした閉塞型睡眠時無呼吸症候群を解消する枕。＜実施例１・図１参照＞
【請求項２】
前記「頭受け部」２、の前記「略中央部」と、長側面前１０の間に、円、或は楕円、或は多角形の空洞孔４、或はスリット５と一体の円、或はスリット５と一体の楕円、或はスリット５と一体の多角形の空洞孔４を、頭３５の横幅以上の長さで、前記長側面前１０に平行に一つ、或は複数備え、前記「負荷受け部」３を、前記「頭受け部」２の中層、或は下側の前記「略中央部」から長側面後１６にかけて備えた事を、特徴とした請求項１に記載の閉塞型睡眠時無呼吸症候群を解消する枕。＜実施例１・図1参照＞
【請求項３】
前記「頭受け部」２の前記「略中央部」と前記、長側面前１０の間の、天面３６から底面３７の途中まで切れ目である、隠しスリット１７を複数入れ、柱状の複数のブロックの集合体を有する前記「頭受け部」２の、中層、或は下側の前記「略中央部」から長側面後１６にかけて、前記「負荷受け部」３を備えた事を、特徴とした請求項１に記載の閉塞型睡眠時無呼吸症候群を解消する枕。  ＜実施例１・図１２参照＞
【請求項４】
「綿状物」６からなる、前記「頭受け部」２の前後の、前記「略中央部」から長側面後１６にかけて、前記「頭受け部」２より相対的に硬質な前記「負荷受け部」３を、前記「頭受け部」２の中層、或は下側の前記「略中央部」から長側面後１６にかけて備えた事を、特徴とした閉塞型睡眠時無呼吸症候群を解消する枕。＜実施例２・図２参照＞
【請求項５】
前記「綿状物」６からなる、前記「頭受け部」２の、頭を受ける天面３６の内カバー４１の外側、とその対面である底面３７の内カバー４１の外側から、内側の「充填物」１１、諸共糸、或は、紐を貫通させて、締め込んで、圧縮した状態で前記「略中央部」から長側面前１０を結び括る（縛る）「中綴じ」を、複数個所で行い、前記「負荷受け部」３を、前記「頭受け部」２の中層、或は下側の前記「略中央部」から長側面後１６にかけて備えた事を、特徴とした閉塞型睡眠時無呼吸症候群を解消する枕。＜実施例２・図２参照＞
【請求項６】
枕形状の袋体９に「粒状物」２６からなる群から選択された一つを充填して、前記「頭受け部」２の、前記「略中央部」から、長側面後１６にかけて、前記「頭受け部」２より相対的に硬質な、前記「負荷受け部」３を、前記「頭受け部」２の中層、或は下側の前記「略中央部」から長側面後１６にかけて備えた事を、特徴とした閉塞型睡眠時無呼吸症候群を解消する枕。＜実施例３・図３参照＞
【請求項７】
前記、枕形状の袋体９からなる、前記「頭受け部」２の、前記「略中央部」で長側面前１０及び長側面後１６と直交する両側の短側面と天面３６と底面３７に仕切り布を縫合して、前記「頭受け部」２を前後に分割し、前後を分離する仕切り布が、弾性を有するストレッチ生地からなる、弾性仕切り４２である事を特徴とし、前記「負荷受け部」３を、前記「頭受け部」２の中層、或は下側の前記「略中央部」から長側面後１６にかけて備えた事を、特徴とした、請求項６に記載の閉塞型睡眠時無呼吸症候群を解消する枕。＜実施例３・図３参照＞  
【請求項８】
短側面と長側面からなる長方形の長手方向の、片方の短側面の端部に設けたポケット７に、前記「負荷受け部」３を挿入した、帯状体８である事を特徴とする、閉塞型睡眠時無呼吸症候群を解消する枕。＜実施例４・図４参照＞  
【請求項９】
板状の前記「負荷受け部」３の形状は、短側面に交わる長側面の、一辺から対向する一辺までが板状である事を特徴とする、或は短側面に交わる長側面の、一辺から対向する一辺まで直線の登り勾配の板状である事を特徴とする、或は短側面に交わる長側面の一辺から対向する一辺まで曲線の登り勾配の板状である事を特徴とする、或は短側面に交わる長側面の一辺、から対向する一辺までが板状で、片方の長側面の中央に切り欠き部４４を設け、その両側に側面付加受け部４３を有する板状である事を特徴とする、これらの郡のうちの一つからなる前記「負荷受け部」３を特徴とした、請求項１から８の何れかに記載の閉塞型睡眠時無呼吸症候群を解消する枕。＜実施例５・図５、図６、図７、図８参照＞
【発明の詳細な説明】
【技術分野】
【０００１】
本発明は、仰臥して睡眠時に、肥満、高齢者、舌筋の老化、などで舌根が重力で気道に垂れ下がり気道を塞ぐ事で一定時間呼吸が複数回停止する閉塞型睡眠時無呼吸症候郡を防止する枕に関するものである。
【背景技術】
【０００２】
閉塞型睡眠時無呼吸症候群（ＯＳＡＳ）の主な治療は、鼻若しくは鼻と口に樹脂製のマスクをバンドで固定しポンプで加圧した空気を連続して鼻腔から送り込んで気道を陽圧に保ち気道の閉塞を防ぐ、経鼻的持続陽圧呼吸療法（ＣＰＡＰ）と、下顎の歯を上顎の歯を利用して下顎を前に出すマウスピースにより矯正する手段がある。
【０００３】
マウスピースの場合、上歯１８を支えに下歯１７を口の外方に押し出す事で舌体部３２の舌根２５を引き上げて気道１３に沈下しない様にするものである、しかし図９を用いて説明すれば、舌体部３２は下部で舌骨１４に固着しているのでいくら上部の下顎骨１５を引き上げても、舌体部３２は舌骨１４に固着されているので、引き上げ力は舌骨１４で殺されてしまい、効率よく舌根２５を引き上げる事ができず舌根２５は気道から離脱できない、この為医療機関では積極的に治療には勧めていない。
【０００４】
どちらも生きている限り使用しなければならないという事と、前記の「ＣＰＡＰ」の場合、次の様な問題点が使用感としてある、加圧空気送入で腹部膨満感がある。送入された加圧空気で気道や口の中が乾く。気道や口の中の乾きで感染しやすくなる。空気が漏れない様にきつく締め付けるのでマスクのこすれで皮膚がかぶれる。ポンプの音で寝付き難い。ポンプとマスクを硬度のあるプラスチックの空気送風ホースで連結しているので、寝返りが難しい為、腰が痛たくなる、又夜中にトイレに行くたびに前記のＣＰＡＰ装置を脱着しなければならず眠気が覚醒してしまう事が多かった。
【０００５】
そして病院に経鼻的持続陽圧呼吸療装置「ＣＰＡＰ」のレンタル料を支払はなければならず経済的負担も大きい保険負担率が３割の場合月６０００円である、これに毎月病院の診療費が別途必要。
どちらも肉体的に多少の苦痛を伴う、前記の使用感があるので必要であっても使用に踏み切れない人も多い。
【０００６】
この改善策として横寝すると気道１３が舌根の下ではなく横になるので、舌根２５が重力で気道１３に垂れないので防止される、その様な枕も有るが、一晩中横を向いて寝る事は難しく無意識の内に仰臥している、この為、横寝の効果が持続し難い等の問題点がある。
【０００７】
又、特許文献１  実登  ３１５５５１７は、枕を肩に近い部分である、頚椎部分を支持する部分と後頭部を支持する、前と後に二分し、後の頭部支持箇所を頚椎部支持箇所より硬度のある素材で形成し、頭部支持箇所より頚椎部支持箇所を柔らかい素材で形成して、頚椎部支持箇所が後頭部支持箇所より沈下する様にしている、一層で、頭を受ける面が前後で２つの硬度からなる枕である。頭部を受ける面の枕の後側部分を硬度の有る素材で形成しているので、頭が有効に保持されるまで沈下せず、頭がしっかりと枕で把持されず寝にくかった。
【０００８】
＜本発明では、次の通り定義する、方向を表す場合は上向きに仰臥した姿を右側から見た場合を想定して表記する事を、定義しておく＞
＜本発明では、人体の頭の左右の動きは、第一頚椎１９が第ニ頚椎の上で回転して可能にしている、頭の前後の動きは、後頭骨２１が第一頚椎１９の上で前後に動く事で可能にしている事を定義し、説明しておく＞
＜本発明では、以下で文言に定義付けをした、定義の使用（有効範疇）は本特許願の、明細書、特許請求の範囲、要約書、を対象とする＞
＜定義付けした文言は「  」で囲んで表記する＞。
【先行技術文献】
【特許文献】
【０００９】
【特許文献１】（特許文献１）  実登３１５５５１７号
【特許文献２】（特許文献２）  特願平５−３４１９８９
【特許文献３】（特許文献２）  特願２０１７−１０９９１１
【非特許文献】
【００１０】
【非特許文献１】（非特許文献１）睡眠時無呼吸症候群(SAS)の概要と、治療法についての冊子,睡眠時無呼吸症候群の治療,  帝人ファーマ株式会社
【発明の概要】
【発明が解決しようとする課題】
【００１１】
図９を元に説明すると、生まれつき骨格が小さい人、肥満の人、高齢者は気道１３のスペースが狭くなっている事が多く、この様な者が仰向けに寝ると、舌体部３２は気道１３方向に垂れる、そして熟睡すると舌体部３２を含む筋肉が弛緩し舌体部３２の舌根２５が気道１３に垂れ気道を閉塞し空気が遮断される、一定時間（個人差がある）気道が閉塞され酸素不足が限界になると痙攣を起こす、この痙攣で筋肉の弛緩が覚醒し再び、呼吸が再開される、この様に熟睡−筋肉の弛緩−気道閉塞−痙攣−覚醒−熟睡−を睡眠中繰り返している、本発明は、熟睡して筋肉の弛緩が起きても舌根２５による気道閉塞が起きない様にし、重篤な閉塞型睡眠時無呼吸症候群（ＯＳＡＳ）を防止或は、改善し、枕の反力による肩こりを防止する枕を提供する、
【００１２】
＜文言の定義＞
＜１、本発明では、経鼻的持続陽圧呼吸療装置を「ＣＰＡＰ」と定義し、表記する＞
＜２、本発明では、閉塞型睡眠時無呼吸症候群の事を「ＯＳＡＳ」と定義し、表記する＞
＜３、本発明では、枕の人体の肩に接する長側面前その反対側を長側面後と定義し、表記する＞
＜４、発明では、後頭骨２１の顔面と反対側に一番飛び出た部分を「後頭部」と定義し、表記する＞
＜５、本発明では、左右の頭頂骨２８と後頭骨２１が三叉する交点周辺の部位を「頭頂部後」と定義、し表記する（図１１参照＞
＜６、本発明では、「頭受け部」２の長側面の前後の略中間の部分を「略中央部」と定義し表記する＞
＜７、本発明では、ポリプロピレン、ポリエチレン、ポリカボネイト、ＡＢＳ、ＡＳ、ＰＶＣ、熱可塑性エラストマー樹脂（TPE）、を「高反発硬質樹脂」と定義し、表記する＞
＜８、（本発明では、低発泡倍率のポリプロピレンフォーム、ポリスチレンフォーム、ポリエチレンフォーム、ＡＢＳフォーム、を「高反発硬質発泡樹脂」と定義し、表記する＞
＜９、（本発明では、高発泡倍率のポリウレタンフォーム、フェノールフォーム、発泡膜を除去した、三次元の骨格網状構造のウレタンフォーム、ポリ塩化ビニルフォーム、メラミンフォーム、シリコーンフォーム、EPDM（ＥｔｈｙｌｅｎｅＰｒｏｐｙｌｅｎｅＤｉｅｎｅ）スポンジを「低反発軟質発泡樹脂」と定義し表記する＞
＜１０、（本発明では、天然綿、合成繊維の綿、マイクロファィバー繊維、羽毛、羊毛、ポリウレタンフォームの断裁チップ、を「綿状物」と定義し、表記する＞
＜１１、本発明では、蕎麦殻、ポリエチレン或はポリスチレン発泡ビーズ、コルクチップ、パイプ状の軟質樹脂を外径以上の長さに接断した物、シリコーンチューブを外径以上の長さに切断した物、を「粒状物」と定義し、表記する＞
＜１２、本発明では、「綿状物」と「粒状物」を「充填物」と定義し、表記する＞
＜１３、（本発明では、「頭受け部」２の天面３６と底面３７を糸、或は紐で引き寄せて圧縮した状態で括る（縛る）ことを「中綴じ」と定義し、表記する＞
＜１４本発明では、「高反発硬質樹脂」からなる群から選択された一つ、或は「高反発硬質発泡樹脂」からなる群から選択された一つからなる頭の付加を受けるものを「負荷受け部」３と定義し、表記する＞
＜１５、本発明では、「低反発軟質発泡樹脂」或は、「綿状物」６、「粒状物」２６、からなる群から選択された一つからなる、頭を受ける部分を「頭受け部」２と定義し、表記する＞
【課題を解決するための手段】
【００１３】
請求項１の発明は、枕１の、頭を受ける「頭受け部」２の中層或は下側に、前記「頭受け部」２に相対的に硬質な、「高反発硬質樹脂」であるポリプロピレン、ポリエチレン、ポリカボネイト、ＡＢＳ、ＰＶＣ、熱可塑性エラストマー樹脂（TPE）、或は発泡倍率が小さい為高反発の「高反発硬質発泡樹脂」であるポリプロピレンフォーム、ポリスチレンフォーム、ポリエチレンフォーム、ＡＢＳフォーム、或は軽金属、木、等からなる、頭の付加を受ける板状の「負荷受け部」３を、前記「頭受け部」２の前後の、側面前１０から長側面後１６の中間である「略中央部」から長側面後１６に備えた事を特徴とする。（図１参照）
【００１４】
請求項２の発明は、請求項１において、前記「頭受け部」２には、前記「略中央部」から前記長側面前１０の間にスリット５と一体の円、或はスリット５と一体の楕円、スリット５と一体の多角形の、空洞孔４、或は円、或は楕円、多角形の、空洞孔４を頭の横幅以上の長さで、前記長側面前１０に平行に一本或は、複数本備えた事、を含む事を特徴とする。（図１参照）
【００１５】
請求項３の発明は、請求項１において、前記「頭受け部」２には、前記「略中央部」から前記長側面前１０の間の天面３６から底面３７の途中まで切れ目である隠しスリット１７を複数入れることで多角形の柱状の複数のブロックの集合体とする事、を含む事を特徴とする。（図１２参照）
【００１６】
請求項４の発明は、「綿状物」６からなる、前記「頭受け部」２の、前記「略中央部」から前記長側面後１６にかけて、前記「頭受け部」２より相対的に硬質な、前記「負荷受け部」３を、前記「頭受け部」２の中層、或は下側の前記「略中央部」から長側面後１６にかけて備えた事を、特徴とする。（図２参照）
【００１７】
請求項５の発明は、前記「綿状物」６からなる、前記「頭受け部」２の、頭を受ける天面３６の内カバー４１の外側と、その対面である底面３７の前記内カバー４１の外側から、中の「充填物」１１、諸共糸、或は紐を貫通させて、締め込んで、圧縮した状態で前記「略中央部」から長側面前１０を、結び括る（縛る）「中綴じ」を、複数個所で行う事を含む事を、特徴とする。（図２参照）
【００１８】
請求項６の発明は、枕形状の袋体９に「粒状物」２６からなる群から選択された一つを充填して、前記「頭受け部」２とし、前記「略中央部」から、長側面後１６にかけて、前記「頭受け部」２より相対的に硬質な前記「負荷受け部」３を、前記「頭受け部」２の中層、或は下側の、前記「略中央部」から長側面後１６にかけて備えた事を、特徴とする。（図３参照）
【００１９】
請求項７の発明は、前記枕形状の袋体９からなる、前記「頭受け部」２の、長側面前１０、長側面後１６と直交する両側の短側面と天面３６と底面３７を「略中央部」において仕切り布を縫合して前記「頭受け部」２の内部を前後に分割し、前後を分離する前記、仕切り布がストレッチ生地からなる弾性仕切り４２である事を含む事を、特徴とする。（図３参照）
【００２０】
請求項８の発明は、長方形の帯状体８の、長方形の短側面側である長手方向の片方の、ポケット７に、前記「負荷受け部」３を挿入し、前記ポケット７の天面に、「低反発軟質発泡樹脂」、或は「綿状物」６、或は「粒状物」２６からなる群から選択した一つからなる前記「頭受け部」２、或は現在使用されている従来の枕を置いて、前記ポケット７と反対側の端部を持って、巻着する帯状体８である事を、特徴とする。（図４参照）
【００２１】
請求項９の発明は、前記板状の「負荷受け部」３の形状は、請求項１から８、において、短側面に交わる長側面の、一辺から対向する一辺までが板状である、或は短側面に交わる長側面の、一辺から対向する一辺まで登り勾配の板状である、或は短側面に交わる長側面の一辺から対向する一辺まで曲面の登り勾配の板状である、或は短側面に交わる長側面の一辺、から対向する一辺までが板状で、片方の長側面の中央に切り欠き部４４を設け、その両側に側面付加受け部４３を有する、この様な郡の内一つからなる「負荷受け部」３を、特徴とする。（図５、６、７、８参照）
【発明の効果】
【００２２】
本発明が解決しようとするのは、図９で説明すれば、生まれつき骨格が小さい人、肥満の人、高齢者は気道１３のスペースが狭くなっている事が多く、この様な者が仰向けに寝ると、舌体部３２は気道１３方向に垂れ気道１３を狭くするため、空気の絶対量が不足する、この為顎３１を上げ、口呼吸をする、顎３１が上がる事で後頭部２３、頭頂部後３０が下がるため、舌体部３２は舌骨１４で固着されているが、舌体部３２は舌骨１４の側面に位置してしまう為、舌骨１４が舌体部３２を支えきれなくなっており、熟睡すると舌体部３２を含む筋肉が弛緩し、舌体部３２は舌骨１４の脇を沈降し、舌根２５が気道１３に垂れ気道を閉塞し空気が遮断され一定時間（個人差がある）気道が閉塞され酸素不足が限界になると痙攣を起こす、この痙攣で筋肉の弛緩が覚醒し再び、呼吸が再開される、この様に熟睡−筋肉の弛緩−気道閉塞−痙攣−覚醒−熟睡−を睡眠中繰り返している、
【００２３】
請求項１によれば、熟睡して筋肉の弛緩が起きても前記舌根２５による気道閉塞が起きない様にする為に、頭を受ける「頭受け部」２の「略中央部」から長側面後１６の下側に「負荷受け部」３を備える事で、頭３５の負荷により、頭の付加を受ける板状の「負荷受け部」３で生じた反力が頭の後頭部２３から頭頂部後３０に働き、体と頭の前後の動きを司る、第一頚椎１９で、後頭骨２１が仰臥位上方に右回転する事で、後頭部２３から頭頂部後３０部分も、仰臥位右上方に回転するので、顎３１と舌体部３２の舌尖部２２が固着した下顎骨１５は首２９方向である右下方に回転するので舌骨１４に固着した舌体部３２は、舌骨１４を支点にして舌尖部２２により上右方に引き上げられ、舌骨１４に乗りかかる様に被さり巻き上げられるので、舌体部３２の下部の舌部２５は気道１３から離脱する事でＯＳＡＳを解消した。（図１、図１０参照）
【００２４】
請求項２によれば、前記、枕１の「頭受け部」２の「略中央部」と長側面前１０の間にスリット５と一体の円、或はスリット５と一体の楕円、スリット５と一体の多角形からなる空洞孔４、或は円、或は楕円、多角形からなる空洞孔４を、頭の横幅以上の長さで、長側面前１０に平行に設けた事で、頭３５、首２９部からの負荷は「頭受け部」２の空洞部孔４が変形する事で吸収される事で、首２９への反力が減少し枕１による肩こりが解消された。（図１、図１０参照）
【００２５】
請求項３によれば、前記枕１の「頭受け部」２の「略中央部」と長側面前１０の間の天面３６から底面３７の途中まで切れ目である隠しスリット１７を複数入れることで多角形の柱状の複数のブロックの集合体となり、「頭受け部」２の略中央部分と長側面前１０の間の天面３６は複数の独立したブロックに分割され、塊であった反力はブロックの数に分散され、且つ小さい柱状の各ブロックは表面が曲面である首２９で押さえられると、各ブロック柱は曲面をした首２９の面に直角方向な、枕にとっては鉛直で無い方向に押され、横方向の変形も生じ、各ブロック本来の座屈限界荷重に到る以前に座屈が生じてしまう、この横方向のたわみで反力（反発力）は横方向にも分散するので反力は小さくなり首２９、への反力が減少し、枕１による肩こりが解消された。（図１２、図１０参照）又隠しスリット１７は部位によって深さを変える事で反力の強さを調節する。    
【００２６】
請求項４によれば、熟睡して筋肉の弛緩が起きても前記舌根２５による気道閉塞が起きない様にする為に枕形状の内カバー４１に「綿状物」６からなる群から選択された一つを充填して、「頭受け部」２とし「頭受け部」２の「略中央部」から長側面後１６の下側に「負荷受け部」３を備える事で、頭３５の負荷により「負荷受け部」３で生じた反力が頭の後頭部２３から頭頂部後３０に働き、体と頭の前後の動きを司る、第一頚椎１９で、後頭骨２１が仰臥位上方に右回転する事で、後頭部２３から頭頂部後３０部分も、仰臥位右上方に回転するので、顎３１と舌体部３２の舌尖部２２が固着した下顎骨１５は首２９方向である右下方に回転するので舌骨１４に固着した舌体部３２は、舌骨１４を支点にして舌尖部２２により上右方に引き上げられ、舌骨１４に乗りかかる様に被さり巻き上げられるので、舌体部３２の下部の舌部２５は気道１３から離脱する事でＯＳＡＳを解消した。（図２、図１０参照）
【００２７】
請求項５によれば、前記内カバー４１に「綿状物」６を充填した、「頭受け部」２の複数個所で、頭を受ける天面３６の内カバー４１の外側、とその対面である底面３７の内カバー４１の外側から、中の「充填物」１１、諸共糸、紐を貫通させて、締め込んで、圧縮した状態で「略中央部」から長側面前１０を結び括ることで反力と復元力を「中綴じ」で括った範囲に規制し、首２９から肩への反発力を減らした事で肩こりが緩和された。（図２、図１０参照）
【００２８】
請求項６によれば、熟睡して筋肉の弛緩が起きても前記舌根２５による気道閉塞が起きない様にする為に枕形状の袋体９に「粒状物」２６からなる群から選択された一つを充填して、「頭受け部」２とし、「頭受け部」２の「略中央部」から長側面後１６の下側に「負荷受け部」３を備える事で、頭３５の負荷により「負荷受け部」３で生じた反力が頭の後頭部２３から頭頂部後３０に働き、体と頭の前後の動きを司る、第一頚椎１９で、後頭骨２１が仰臥位上方に右回転する事で、後頭部２３から頭頂部後３０部分も、仰臥位右上方に回転するので、顎３１と舌体部３２の舌尖部２２が固着した下顎骨１５は首２９方向である右下方に回転するので舌骨１４に固着した舌体部３２は、舌骨１４を支点にして舌尖部２２により上右方に引き上げられ、舌骨１４に乗りかかる様に被さり巻き上げられるので、舌体部３２の下部の舌部２５は気道１３から離脱する事でＯＳＡＳを解消した。（図３、図１０参照）
【００２９】
請求項７によれば、前記枕形状の袋体９からなる、「頭受け部」２の、長側面前１０、長側面後１６と直交する両側の短側面と天面３６と底面３７を「略中央部」に仕切り布を縫合して「頭受け部」２の内部を前後に分割し、前後を分離する、仕切り布がストレッチ生地からなる弾性仕切り４２であるので「頭受け部」２にかかった頭３５の負荷で、後頭部２３部分を受ける長側面後１６部分から「粒状物」２６が長側面前１０側に必要以上に移動してしまわない様に分離規制でき、負荷を受けた弾性仕切り４２は弾性であるので伸びることで、頭３５の負荷で適度に「粒状物」２６が弾性仕切り４２を長側面前１０側に押し込むので頭の把持が優しくでき、天面３６の縫合部分を弾性仕切り４２が内側に引き込まなくなったので枕１の天面３６が筋上の凹みが生じなくなり、寝やすくなった、「粒状物」２６が長側面前１０側に必要以上に移動するのを規制できたので「負荷受け部」３の本来の働きである反力を後頭部２３から頭頂部後３０に伝えることができＯＳＡＳを解消した。（図３、図１０参照）
【００３０】
請求項８によれば、熟睡して筋肉の弛緩が起きても前記舌根２５による気道閉塞が起きない様にする為に長方形の帯状体８の、長方形の短側面側である長手方向の片方の、ポケット７に、「高反発硬質樹脂」、或は「高反発硬質発泡樹脂」、或は軽金属、木、等からなる群から選択した一つからなる、「負荷受け部」３を挿入し、ポケット７の天面に、「低反発軟質発泡樹脂」、或は「綿状物」６、或は「粒状物」２６からなる群から選択した一つからなる前記「頭受け部」２、或は現在使用されている従来の枕を置いて、ポケット７と反対側の端部を持って、前記「頭受け部」２、或は現在使用されている従来の枕に巻着する帯状体８からなる枕にする事で、「負荷受け部」３を備え、頭３５の負荷により「負荷受け部」３で生じた反力が頭の後頭部２３から頭頂部後３０に働き、体と頭の前後の動きを司る、第一頚椎１９で、後頭骨２１が仰臥位上方に右回転し、後頭部２３から頭頂部後３０部分も、仰臥位右上方に回転するので、顎３１と舌体部３２の舌尖部２２が固着した下顎骨１５は首２９方向である右下方に回転するので舌骨１４に固着した舌体部３２は、舌骨１４を支点にして舌尖部２２により上右方に引き上げられ、舌骨１４に乗りかかる様に被さり巻き上げられるので、舌体部３２の下部の舌部２５は気道１３から離脱する事でＯＳＡＳを解消した。（図４、図１０参照）
【００３１】
請求項９によれば、熟睡して筋肉の弛緩が起きても前記舌根２５による気道閉塞が起きない様にする為に、前記「負荷受け部」３の形状は、短側面に対し長側面の、一辺から対向する一辺までが板状（図５）である事を特徴とする、或は短側面に対し長側面の、一辺から対向する一辺まで直線の登り勾配（図６）の板状である事を特徴とする、或は短側面に対し長側面の一辺から対向する一辺まで曲線の登り勾配（図７）の板状である事を特徴とする、或は短側面に対し長側面の一辺、から対向する一辺までが板状で、片方の長側面の中央に切り欠き部４４を設けその両側に側面付加受け部４３（図８）を有する板状とする、この様な特徴の「負荷受け部」３は「頭受け部」２の下側の「略中央部」から長側面後１６に有って、頭の負荷を寝具に分散させずに反力として後頭部２３から頭頂部後３０に伝えることができＯＳＡＳを解消した、又一辺に切り欠きと側面負荷受け４３を持った「負荷受け部」３は頭から首の線が枕１に直角でない状態である頭が枕１に斜めに仰臥した場合でも、側面負荷受け４３が後頭部２３から頭頂部後３０に反力を伝えることができＯＳＡＳを解消した、又、「負荷受け部」３が板状からなる場合（図５）、反力は頭頂部後３０から後頭部２３に集中しないので穏やかな反力となるので軽度のＯＳＡＳ患者に適している。
「負荷受け部」３が直線の登り勾配からなる場合（図６）、と曲線の登り勾配からなる場合（図７）は、反力が頭頂部後３０から後頭部２３に集中するので重度のＯＳＡＳ患者に適している。
【００３２】
以下、請求項１から８において次の効果があった。
図９を元に説明すれば、従来の枕に仰臥した場合、頭頂部３０から後頭部２３が枕１に沈下し、枕１の長側面前１０が首２９に強く当っているが、図１０を元に説明すれば、本発明の枕１では頭頂部３０が枕１に沈下しておらず、空洞孔４、或は隠しスリット１７、或は「中綴じ」で「頭受け部」２の反力を小さくしているので、枕１の長側面前１０が首２９に強く当って押し上げていないので容易に寝返りが可能となり、肩こりが起きない。又「負荷受け部」３は１ｍｍ程度の厚さ、があれば良いので、枕の使用感が損なわれることがない。又「負荷受け部」３が「高反発硬質樹脂」或は「高反発硬質発泡樹脂」の場合、負荷を受けると、曲げたわむ能力である可撓性（可とう性）を有しているので、寝具と枕１の間で硬直物であることがない。
【００３３】
これにより旅行中はもちろん生きている限り使用しなければならなかった、「ＣＰＡＰ」の場合、加圧空気送入で腹部膨満感があった。送入された加圧空気で気道や口の中が乾いた。又気道や口の中の乾きでウイルス等に感染しやすくなっていた。空気が漏れない様にきつく締め付けるのでプラスチックのマスクでこすれて皮膚がかぶれていた。ポンプの音で寝付き難くかった。ポンプと顔のマスクを硬度のある空気送風ホースで連結しているので、寝返りが難しい為、腰が痛たくなっていた、又、ホースの付いたマスクを顔にベルトで固定されているので、夜中にトイレに行く時マスクの着脱は非常に苦痛でこの為覚醒してしまっていた、これらが全て解決され、自宅ではもちろん、旅行時にも持参できる軽薄な物もできた。  
【００３４】
そして病院経由で経鼻的持続陽圧呼吸療器装置（ＣＰＡＰ）のレンタル料２００００円を支払はなければならず経済的負担も大きかった。保険の負担率が３割の場合診察代１０００円を含めると月７０００円。年間８４０００円の医療費となり月に一度診察を受けないと保険適用外となり全額の２万円の負担となる。保険組合の負担は年間１人１６８０００円。帝人在宅医療株式会社のホームページによれば潜在患者数は３００万人と云われている。ＯＳＡＳ患者全てが保険で経鼻的持続陽圧呼吸療法の治療をした場合保険組合の負担金額は膨大な金額となる。本発明の場合、数百円の原価アップの枕で解決できる。（ＣＰＡＰ）装置を装着せずとも枕を交換すれば良いので肉体的な苦痛も排除でき経済的負担が大きく軽減される。
【００３５】
閉塞型睡眠時無呼吸症候群への効果は医療機関での「終夜睡眠ポリグラフィー検査」表１の通り、有効性が明確になった。次の表１は、閉塞型睡眠時無呼吸症候群のＡＨＩ指数（無呼吸低呼吸指数）を通常のウレタンフォーム製の枕と本発明のウレタンフォーム製の枕を、比較使用した医療機関での６０代男性の検査結果である。
【表１】
2019076681.tif 000003
【００３６】
上記表１の通り、ＡＨＩ指数は４１．２から１６．９と有為な改善がしめされた。
平均脈拍数／分は３１．３から平均値内である６４に改善された。
最高脈拍数／分は２５５から平均値内である１１１に改善された。本発明の枕の有為効果が示された。
【００３７】
頭頂部後が下がり、顎３１が上がる従来の枕を使用した場合、舌根２５で気道１３が狭められ、十分な空気を吸入できなくなっている為、息苦しさを認識でき、必要な酸素を呼吸数で補う為、呼吸が速くなり、呼吸数は１分間に３０回となったが、本発明の枕を使用した場合は立位で顔を正面に向けた場合の呼吸数と同じ１６回であり、息苦しさもなかった、閉塞型睡眠時無呼吸症候群に有為な効果がある事を確認できた、効果は次の表２の通りであった。
【表２】
2019076681.tif 000004
【図面の簡単な説明】
【００３８】
【図１】空洞孔４を設けた、枕の部分断面透視斜図。（実施例１。請求項１。請求項２）
【図２】枕の部分断面透視斜図。（実施例２。請求項４。請求項５）
【図３】枕の部分断面透視斜図。（実施例３。請求項６。請求項７）
【図４】枕の展開組斜図。（実施例４。請求項８）
【図５】「負荷受け部」３が平板（フラット）である図。（実施例５。請求項９）
【図６】「負荷受け部」３が直線で登り勾配である図。（実施例５。請求項９）
【図７】「負荷受け部」３が曲線で登り勾配である図。（実施例５。請求項９）
【図８】切り欠きと側面負荷受け４３を有する「負荷受け部」３である図。（実施例５。請求項９）
【図９】従来の枕に人体が仰臥した右側面透視図
【図１０】本発明の枕に人体が仰臥した右側面透視図
【図１１】頭蓋骨図。
【図１２】隠しスリット１７を設けた、枕の部分断面透視斜図。（実施例１。請求項１。請求項３）
【発明を実施するための形態】
【００３９】
以下、図面を参照しながら本発明を実施するための形態について説明する。なお、以下に参照する図面において、同じ符号は同様の構成要素を示す。
【００４０】
図１を元に説明すると、反発弾性率が小さい、「低反発軟質発泡樹脂」であるポリウレタンフォーム、フェノールフォーム、発泡膜を除去したポリエーテル系、或はポリエステル系三次元骨格網状構造ウレタンフォーム、ポリ塩化ビニルフォーム、メラミンフォーム、シリコーンフォーム、EPDM（Ｅｔｈｙｌｅｎｅ-Ｐｒｏｐｙｌｅｎｅ-Ｄｉｅｎｅ）スポンジ、からなる群の一つからなる、頭を受ける「頭受け部」２の、前後の「略中央部」から、後側の長側面後１６にかけて「高反発硬質樹脂」であるポリプロピレン、ポリエチレン、ポリカボネイト、ＡＢＳ、ＰＶＣ、熱可塑性エラストマー樹脂（TPE）、或は軽金属、木、等からなる群の一つからなる、短側面に交わる長側面の、一辺から対向する一辺までが板状の平板（図５）、或は短側面に交わる長側面の、一辺から対向する一辺まで直線の登り勾配の板状体である（図６）、或は短側面に交わる長側面の一辺から対向する一辺まで曲線の登りの板状体である（図７）、或は短側面に交わる長側面の一辺、から対向する一辺までが板状で、片方の長側面の中央に切り欠き部４４を設け、その両側に側面付加受け部４３を持った板状体である（図８）、これらの頭の付加を受ける「負荷受け部」３を前記「頭受け部」２の中層、或は下側に前後に移動可能な様に面ファスナー１２で備えて内カバー４１で覆う、  
【００４１】
さらに「低反発軟質発泡樹脂」、からなる群から選択した一つからなる、前記「頭受け部」２の前後の「略中央部」と長側面前１０の間で、頚椎部である首２９を受ける部分に円、或は楕円、或は多角形の空洞孔４、或はスリット５と一体の円、或はスリット５と一体の楕円、スリット５と一体の多角形の空洞孔４を頭の横幅以上の長さで長側面前１０と平行に一本、或は複数本備えた、これにより骨格、肉付き等の違いによる頭３５から首２９の大きさに違いがあっても、空洞孔４が負荷、反力を受けると空洞孔４が変形して負荷、反力を吸収する事で高さ調節をしなくても、肩こりを防止する。  
スリット５により金型から円、或は楕円、多角形の部分をムリ抜きが可能となった、或は切削加工、或は熱溶断加工、或は高圧ウオーターカット工法が可能とした。
【００４２】
或は、図１２を元に説明すれば、枕１の前記「頭受け部」２の前後の「略中央部」と長側面前１０の間の天面３６から底面３７の途中まで切れ目である隠しスリット１７を複数入れることで多角形の柱状の複数のブロックの集合体となり、前記「頭受け部」２の略中央部分と長側面前１０の間の天面３６は複数の独立したブロックに分割され、塊であった反力はブロックの数に分散され、且つ小さい柱状の各ブロックは表面が曲面である首２９に当ると、各ブロック柱は曲面をした首２９の面に直角方向であるが、枕にとっては鉛直で無い方向に押され、横方向の変形も生じ、各ブロック本来の座屈限界荷重に到る以前に座屈が生じてしまう、この横方向のたわみで反力（反発力）は横方向にも分散するので反力は小さくなり首２９、への反力を減少させ肩こりを防止する。隠しスリット１７を部位によって深さを変える事で反力の強さを調節する。  
【００４３】
図２を元に説明すると、頭３５を受ける「綿状物」６からなる前記「頭受け部」２の前後の「略中央部」から、後側の長側面後１６にかけて「高反発硬質樹脂」、或は「高反発硬質発泡樹脂」或は軽金属、木、等からなる群から選択した一つからなる前記「負荷受け部」３を、前記「頭受け部」２の中層、或は下側に前後に移動可能な様に面ファスナー１２で備えてカバー４０で覆う、  
【００４４】
さらに、「綿状物」６からなる前記「頭受け部」２の頭３５を受ける天面３６とその反対側の底面３７（寝具３４に接する面）の複数個所を糸、或は紐で引き寄せて圧縮した状態で、前記「略中央部」から長側面前１０に渡って前記「略中央部」から長側面後１６よりも薄く（低く）なる様に括る（縛る）ことで、復元距離及び反力を規制し括った範囲に封じ込め、首２９から肩への反力を減らした事で体格の違いが有っても枕の高さ調節をしなくても肩こりを防止する。
【００４５】
図３を元に説明すると、枕１、袋体９からなる前記「頭受け部」２を前記「略中央部」において弾性仕切り４２で前後に分割し、「粒状物」２６を充填物として分割した各々の袋体９に詰める、袋体９が前後に分割された事で、前記「頭受け部」２の上で頭３５を前後左右に激しく動かしても「粒状物」２６の各粒は弾性仕切り４２で仕切られているので、分割した前記「略中央部」から長側面後１６部の側の「粒状物」２６は前記「略中央部」部分から前記、長側面前１０側部分には移動できなくなり、仕切られた中において頭の無い方向に分散移動し、移動が収まると「粒状物」２６からなる前記「頭受け部」２は、充填物が粒状の個体なので、頭、首の形状に合わせて、頭、首を把持する「頭受け部」２とし、前記「頭受け部」２の下側の前記「略中央部」より後側にポケット７を設け、前記ポケット７に、「高反発硬質樹脂」、或は「高反発硬質発泡樹脂」、或は軽金属、木、からなる群から選択した一つからなる前記「負荷受け部」３を挿入し前後に移動可能にする為、面ファスナー１２で備える、
【００４６】
図４を元に説明すると、長方形の帯状体８の、長方形の短側面側である長手方向の両端の片方に、ポケット７を設け前記ポケット７の外側の底面３７に面ファスナー１２を備え、この面ファスナー１２の反対側の、もう片方の長手方向の端部に面ファスナー１２を備え、前記ポケット７に「高反発硬質樹脂」、或は「高反発硬質発泡樹脂」、或は軽金属、木、等からなる群から選択した一つからなる、「負荷受け部」３を挿入し、長側面の面ファスナー１２を備えた羽根３９で、ポケット７の挿入口を防ぎ「負荷受け部」３の脱落を防ぐ、前記の帯状体８の前記ポケット７の上部に「低反発軟質発泡樹脂」、或は「綿状物」６、或は「粒状物」２６からなる群から選択した一つからなる前記「頭受け部」２、或は現在使用されている従来の枕を置いて、帯状体８のポケット７と反対側の端部のファスナー１２部分を持って、前記枕１、或は前記従来の枕に巻着しする事でＯＳＡＳ対応する。
【００４７】
図５・図６・図７・図8を元に説明すると、前記「負荷受け部」３の形状は、短側面に交わる長側面の、一辺から対向する一辺までが板状である（図５）とする、或は短側面に交わる長側面の、一辺から対向する一辺まで登り勾配である板状（図６）とする、或は短側面に交わる長側面の、一辺から対向する一辺まで曲面の登り勾配である板状（図７）とする、或は短側面に交わる長側面の、一辺から対向する一辺までが板状で、片方の長側面の中央に切り欠き部４４を設け、その両側に側面付加受け部４３を有する板状（図８）とする、一辺の長側面の厚さが異なる場合、薄い側を首２９の方に備える、或は切り欠きと側面負荷受け４３を有している場合は切り欠き部が首２９の方に備えることを特徴とする、この様な群の内の一つを実施例１、（図１．図１２）、実施例２（図２）、実施例３（図３）、実施例４（図４）、の各構成の枕１の前記「頭受け部」２に前記「負荷受け部」３として、備える。
【００４８】
本発明では前記「負荷受け部」３がある前記長側面後１６を首２９と反対側の後頭部２３側にする必要がある、これを見た目で区別出来る様にする為、長側面後１６の両角をＣ面取り、或はＲ面取り（ＪＩＳ）する。
【実施例】
【００４９】
＜実施例１＞
図１と図１２は本発明枕の、部分断面透視斜図であって、同じ部位の符号はすべての図において同じである。また、１は枕、２は頭を受ける「頭受け部」、３は頭の付加を受ける板状の「負荷受け部」、４は空洞孔、５はスリット、１２は面ファスナー、１０は長側面前、１６は長側面後、１７は隠しスリット、４１は内カバーである。
【００５０】
枕１の上層は、「低反発軟質発泡樹脂」からなる、モールド成形、或は切削加工、或は高圧ウオーターカット工法による枕形状の前記「頭受け部」２を備え、前記「頭受け部」２の使用者の肩３３に接する長側面前１０と、長側面後１６の中間の前記「略中央部」から、長側面後１６にかけて、前記「頭受け部」２より相対的に硬質な「高反発硬質発泡樹脂」、或は、「高反発硬質樹脂」、或は軽金属、木、などの群から選択された一つからなる、
【００５１】
前記「負荷受け部」３を、前記「頭受け部」２の中層、或は下側に使用者が体格に合わせて前後に移動しても、備えることが出来るように、面ファスナー１２で備えることで、前記「頭受け部」２は天面３６及び前記「頭受け部」２を構成する全体が、同じ硬度で、同じ柔軟度、同じ反力（反発力）であるが、前記「負荷受け部」３の範囲の上部に位置する前記「頭受け部」２は、頭３５の負荷によって、前記「負荷受け部」３が備えられていない前記「略中央部」から長側面前１０、部より大きな反力が生じる事を特徴とし
【００５２】
図１を元に説明すれば、「低反発軟質発泡樹脂」からなる群から選択した一つからなる前記「頭受け部」２の反力（反発力）を、首２９から肩３３には減少させる為に円、或は楕円、或は多角形の空洞孔４、或はスリット５と一体の円、或は楕円、或は多角形の空洞孔４を、前記「略中央部」と長側面前１０の間に、頭３５の横幅以上の長さで長側面前１０に平行に一本或は、複数本、備える、
【００５３】
或は、図１２を元に説明すれば、前記「頭受け部」２の前後の「略中央部」から長側面前１０の、天面３６から底面３７の途中まで切れ目である隠しスリット１７を複数入れることで多角形の柱状の複数のブロックの集合体とし、前記「頭受け部」２の上部が柱状体の独立した複数のブロックの集合体とする事で肩への反力を分散減少させる。隠しスリット１７は部位によって深さを変える事で反力を調整する。    
【００５４】
＜実施例２＞
図２は本発明枕の、部分断面透視斜図であって、符号はすべての図において同じである。また、１は枕、２は前記「頭受け部」、３は前記「負荷受け部」、６は「綿状物」、１０は長側面前、１２は面ファスナー、１６は長側面後、２６は「粒状物」、２７は「中綴じ」、４０はカバー、４１は内カバー、３８は「低反発軟質発泡樹脂」である。
【００５５】
繊維製の枕形状の内カバー４１に「綿状物」６、からなる群から選択された一つを充填して前記「頭受け部」２とした、或は「低反発軟質発泡樹脂」からなる「頭受け部」２を前記「頭受け部」２の底面３７の、肩３３に接する前側の長側面前１０と後側の長側面後１６の中間の、前記「略中央部」から後側の長側面後１６にかけて、「高反発硬質発泡樹脂」、或は「高反発硬質樹脂」、或は軽金属、木、などからなる群から選択した一つからなる、前記「負荷受け部」３を体格によって前後に移動した位置にも備えることが出来るように、前記「頭受け部」２の底面３７に面ファスナー１２で備え、「綿状物」６、或は「低反発軟質発泡樹脂」からなる群から選択した一つからなる、前記「頭受け部」２の頭を受ける天面３６の内カバー４１の外側、とその対面である底面３７の内カバー４１の外側から、中の「充填物」１１諸共、糸、紐を貫通させて、締め込んで、圧縮した状態で前記「略中央部」から長側面前１０に渡って前記「略中央部」から長側面後１６よりも低くなる様に結び括る（縛る）、「中綴じ」を複数個所で行い、その上から内カバー４１で覆う、    
【００５６】
＜実施例３＞
図３は本発明枕の、部分断面透視斜図であって、１は枕、２は前記「頭受け部」、３は前記「負荷受け部」、７はポケット、９は袋体、１０は長側面前、１１は充填物、１２は面ファスナー、１６は長側面後、２６は粒状物、４０はカバー、４２は弾性仕切り、である。
【００５７】
袋体９からなる、頭受け部２の、前記「略中央部」において長側面と直交する、両側の短側面と天面３６、及び底面３７とを弾性のあるストレッチ生地等を仕切り布として縫合し、弾性仕切り４２とし、前後に分割した繊維製の袋体９に、「粒状物」２６からなる群から選択した充填物の一つを、分割した各々の袋体９に詰め、前記「頭受け部」２とし、前記「略中央部」から、後側の長側面後１６にかけて、「高反発硬質樹脂」、或は「高反発硬質発泡樹脂」、或は軽金属、木、からなる群から選択した一つからなる前記「負荷受け部」３を、体格によって前後に移動した位置にも備えることが出来るように、前記「頭受け部」２である袋体９の下側に設けたポケット７、或は底面３７に面ファスナー１２で備え、前記「頭受け部」２を内カバー４１で覆う、  
【００５８】
＜実施例４＞
図４は本発明枕の展開組斜図であって、２は頭を受ける前記「頭受け部」、１は前記「頭受け部」２からなる枕、３は頭の負荷を受ける前記「負荷受け部」、７はポケット、８は帯状体、１２は面ファスナー、１２ｂは裏面の面ファスナー、３７は底面、３９は羽根である。
長方形の帯状体８の、長方形の短側面側である長手方向の両端の片方に、ポケット７を設け、ポケット７の外側の底面３７に面ファスナー１２を備え、この面ファスナー１２の反対側の、もう片方の長手方向の端部に面ファスナー１２を備え、ポケット７に「高反発硬質樹脂」、或は発泡倍率が小さい「高反発硬質発泡樹脂」、或は軽金属、木、からなる群から選択した一つからなる「負荷受け部」３を挿入し、長側面の面ファスナー１２を備えた羽根３９で、ポケット７の挿入口を塞ぎ前記「負荷受け部」３の脱落を防止する
【００５９】
前記の帯状体８のポケット７の、面ファスナー１２が施設されていない面に、「低反発軟質発泡樹脂」、或は「綿状物」６、或は「粒状物」２６からなる群から選択した一つからなる前記「頭受け部」２、或は現在使用されている従来の枕を置いて、帯状体８のポケット７と反対側の端部のファスナー１２部分を持って、枕に巻着し、ポケット７の底面３７のファスナー１２と貼着する、
【００６０】
＜実施例５＞
前記「負荷受け部」３は、「高反発硬質樹脂」、或は「高反発硬質発泡樹脂」、或は軽金属、木、からなる群から選択した一つからなる、短側面に交わる長側面の、一辺から対向する一辺までが板状である（図５）、或は短側面に交わる長側面の、一辺から対向する一辺まで直線の登り勾配の板状である（図６）、或は短側面に交わる長側面の一辺から対向する一辺まで曲線の登りの板状である（図７）、或は短側面に交わる長側面の一辺、から対向する一辺までが板状で、片方の長側面の中央に切り欠き部４４を設け、その両側に側面付加受け部４３を持った板状である（図８）、の何れかの内の一つを実施例１から４に前記「負荷受け部」３として、前記「頭受け部」２の中層、或は下側の前記「略中央部」から長側面後１６にかけて備える、
【産業上の利用可能性】
【００６１】
医療分野の閉塞型睡眠時無呼吸症候群の改善
【符号の説明】
【００６２】
１    枕                        
２    「頭受け部」            
３    「負荷受け部」        
４    空洞孔                    
５    スリット                
６    綿状物
７    ポケット                    
８    帯状体              
９    袋体
１０    長側面前              
１１  充填物                
１２  面ファスナー    
１２ｂ  裏面の面ファスナー
１３  気道                      
１４  舌骨                  
１５  下顎骨
１６    長側面後              
１７  隠しスリット                  
１８  上歯
１９  第一頚椎                
２０  第二頚椎            
２１  後頭骨    
２２  舌尖部                    
２３  後頭部              
２４  鼻腔
２５  舌根                      
２６  粒状物              
２７  中綴じ    
２８  頭頂骨（左右）          
２９  首                    
３０  頭頂部後
３１  顎                        
３２  舌体部                
３３  肩
３４  寝具                      
３５  頭                    
３６  天面                                                                    
３７  底面                      
３８  低反発軟質発泡樹脂          
３９  羽根
４０  カバー        
４１  内カバー
４２  弾性仕切り
４３  側面負荷受け
４４  切り欠き部
【図１】
2019076681.tif 000005
【図２】
2019076681.tif 000006
【図３】
2019076681.tif 000007
【図４】
2019076681.tif 000008
【図５】
2019076681.tif 000009
【図６】
2019076681.tif 000010
【図７】
2019076681.tif 000011
【図８】
2019076681.tif 000012
【図９】
2019076681.tif 000013
【図１０】
2019076681.tif 000014
【図１１】
2019076681.tif 000015
【図１２】
2019076681.tif 000016
【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
枕１は、枕形状の「低反発軟質発泡樹脂」からなる群から選択した一つからなる、頭を受ける「頭受け部」２からなり、前記「頭受け部」２より相対的に硬質な、「高反発硬質発泡樹脂」からなる群から選択した一つ、或は「高反発硬質樹脂」からなる群から選択した一つ、或は軽金属、木、からなる群から選択した一つからなる、頭の付加を受ける板状の「負荷受け部」３を、前記「頭受け部」２の中層、或は下側の、前記「頭受け部」２の前後の略中間である「略中央部」から長側面後１６にかけて備えた事を、特徴とした閉塞型睡眠時無呼吸症候群を解消する枕。＜実施例１・図１参照＞
【請求項２】
「綿状物」６からなる、前記「頭受け部」２の前後の、前記「略中央部」から長側面後１６にかけて、前記「頭受け部」２より相対的に硬質な前記「負荷受け部」３を、前記「頭受け部」２の中層、或は下側の前記「略中央部」から長側面後１６にかけて備えた事を、特徴とした閉塞型睡眠時無呼吸症候群を解消する枕。＜実施例２・図２参照＞
【請求項３】
前記「綿状物」６からなる、前記「頭受け部」２の、頭を受ける天面３６の内カバー４１の外側、とその対面である底面３７の内カバー４１の外側から、内側の「充填物」１１、諸共糸、或は、紐を貫通させて、締め込んで、圧縮した状態で前記「略中央部」から長側面前１０を結び括る（縛る）「中綴じ」を、複数個所で行い、前記「負荷受け部」３を、前記「頭受け部」２の中層、或は下側の前記「略中央部」から長側面後１６にかけて備えた事を、特徴とした閉塞型睡眠時無呼吸症候群を解消する枕。＜実施例２・図２参照＞
【請求項４】
枕形状の袋体９に「粒状物」２６からなる群から選択された一つを充填して、前記「頭受け部」２の、前記「略中央部」から、長側面後１６にかけて、前記「頭受け部」２より相対的に硬質な、前記「負荷受け部」３を、前記「頭受け部」２の中層、或は下側の前記「略中央部」から長側面後１６にかけて備えた事を、特徴とした閉塞型睡眠時無呼吸症候群を解消する枕。＜実施例３・図３参照＞
【請求項５】
前記、枕形状の袋体９からなる、前記「頭受け部」２の、前記「略中央部」で長側面前１０及び長側面後１６と直交する両側の短側面と天面３６と底面３７に仕切り布を縫合して、前記「頭受け部」２を前後に分割し、前後を分離する仕切り布が、弾性を有するストレッチ生地からなる、弾性仕切り４２である事を特徴とし、前記「負荷受け部」３を、前記「頭受け部」２の中層、或は下側の前記「略中央部」から長側面後１６にかけて備えた事を、特徴とした、請求項６に記載の閉塞型睡眠時無呼吸症候群を解消する枕。＜実施例３・図３参照＞  
【請求項６】
短側面と長側面からなる長方形の長手方向の、片方の短側面の端部に設けたポケット７に、前記「負荷受け部」３を挿入した、帯状体８である事を特徴とする、閉塞型睡眠時無呼吸症候群を解消する枕。＜実施例４・図４参照＞